(57)【要約】【課題】音声情報を記録する利用者にとって音声情報の記録操作をわかりやすくしながらも、音声情報の記録を禁止状態に設定した場合に不要な情報を表示しない。【解決手段】音声情報が記録されるＩＣ基板３２と、ＩＣ基板３２に記録される音声情報が入力されるとともにＩＣ基板３２に記録された音声情報が出力される音声情報入出力部４０と、音声情報入出力部４０を介して入力された音声情報をＩＣ基板３２に記録する際に操作されるスイッチ３４と、ＩＣ基板３２に記録された音声情報を音声情報入出力部４０を介して出力する際に操作されるスイッチ３３とを有する音声情報記録／再生部３０が、支持シート２０ａ，２０ｂ及び表面シート１０ａ，１０ｂに挟み込まれて構成されてなる音声メッセージ伝達シート１において、ＩＣ基板３２、音声情報入出力部４０及びスイッチ３３が配置された本体部２から突出した突出部３にスイッチ３４を設ける。【選択図】図１
2009006647.tif 000002
【特許請求の範囲】
【請求項１】
音声情報が記録される回路部と、前記回路部に記録される音声情報が入力されるとともに前記回路部に記録された音声情報が出力される音声情報入出力手段と、前記音声情報入出力手段を介して入力された音声情報を前記回路部に記録する際に操作される録音用スイッチと、前記回路部に記録された音声情報を前記音声情報入出力手段を介して出力する際に操作される再生用スイッチとを有する音声情報記録／再生手段が、複数のシートに挟み込まれて構成されてなる音声メッセージ伝達シートにおいて、
前記回路部、前記音声情報入出力手段及び前記再生用スイッチが前記複数のシートに挟み込まれた本体部と、
前記録音用スイッチが前記複数のシートに挟み込まれ、前記本体部から突出した突出部とを有することを特徴とする音声メッセージ伝達シート。
【発明の詳細な説明】
【技術分野】
【０００１】
本発明は、音声情報の記録や再生が可能な音声メッセージ伝達シートに関し、特に、音声情報の再度の記録を禁止するための技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１参照。）。
【０００６】
このような音声カードは、例えば、音声情報が記録される回路部と、回路部に対する音声情報の記録あるいは再生を行なうための記録・再生部とが２枚のカード基材に挟まれ、このカード基材に、音声情報を記録・再生部を介して入力する際に押下される録音ボタンと、回路部に記録された音声情報を記録・再生部を介して出力する際に押下される再生ボタンとが設けられて構成されている。回路部は配線基板上に搭載されており、この配線基板上には回路部に接続された導電パターンが形成されている。そして、録音ボタン及び再生ボタンはそれぞれ、配線基板に形成された導電パターンの所定の領域と対向する位置に設けられ、録音ボタンと導電パターンとが導通することにより音声情報が記録され、また、再生ボタンと導電パターンとが導通することにより音声情報が再生されることになる。
【０００７】
ここで、このように音声情報を記録可能に構成された音声カードに対する音声情報の記録は、記録・再生部を介して入力された音声情報を、回路部に記録された音声情報に上書きするように行われる。そのため、回路部に音声情報が記録された後に録音ボタンが誤って押下された場合、既に回路部に記録されている音声情報が消去されることになる。そこで、上述した特許文献１には、録音ボタン及びそれに対向する配線基板を容易に切り離すことができるような構成としておき、音声情報の記録後に録音ボタン及びそれに対向する配線基板を切り離すことにより、録音ボタンの誤操作によって音声情報が消去されてしまうことを回避する技術が記載されている。
【０００８】
ところが、上述したように、録音ボタン及びそれに対向する配線基板を容易に切り離し可能に構成しておき、音声情報の記録後に録音ボタン及びそれに対向する配線基板を切り離すことにより、録音ボタンの誤操作によって音声情報が消去されてしまうことを回避するものにおいては、音声情報が記録された音声カードを送付する場合、音声カードが、その一部が切り離された状態で送付先に送付されることになるため、送付される音声カードの外観が悪くなってしまうという問題点がある。
【０００９】
そこで、配線基板及びこれを挟み込む２枚のカード基材をその一部が他の領域から突出した形状とし、配線基板の突出領域に録音ボタンと導通した導電パターンを形成しておき、音声情報の記録後に配線基板及びカード基材の突出領域を切り離すことにより、その後、録音ボタンの誤操作によって音声情報が消去されてしまうことを回避することが考えられる。このような構成とすれば、音声情報の記録後に録音ボタンが操作された場合であっても、音声情報が消去されてしまうことを回避することができる構成としながらも、音声情報の記録後に送付される音声カードの外観が悪くなってしまうことはなくなる。
【特許文献１】特公平３−４５４３３号公報
【発明の開示】
【発明が解決しようとする課題】
【００１０】
上述したように、配線基板及びこれを挟み込む２枚のカード基材が、その一部が他の領域から突出した形状であって、配線基板の突出領域に録音ボタンと導通した導電パターンが形成され、音声情報の記録後に配線基板及びカード基材の突出領域を切り離す構成としたものにおいては、音声情報の記録後に録音ボタンと導通した導電パターンが切断されて切り離されるため、その後に録音ボタンが操作された場合においても、記録された音声情報が消去されてしまうことを回避することができるものの、突出領域が切り離された後でも音声カードには録音ボタンが存在することになる。
【００１１】
そのため、送付先に送付された音声カードには操作しても機能しない録音ボタンが存在することとなり、音声カードの送付先においては、録音ボタンを操作しても音声情報を記録することができないため、録音ボタンの用途が不明となり困惑してしまうという問題点がある。また、音声カードを送付しない場合であっても、突出領域が切り離された後でも不要な録音ボタンが表示されたままとなり、デザイン上の観点から好ましくはない。
【００１２】
また、このような問題点が生じることを回避するために、音声カードの表面には録音ボタンを表示せず、音声情報を記録する際に操作する領域を説明書等にて指示することが考えられるが、その場合、音声情報を記録する際に操作する領域がわかりづらいという問題点がある。
【００１３】
本発明は、上述したような従来の技術が有する問題点に鑑みてなされたものであって、音声情報を記録する利用者にとって音声情報の記録操作をわかりやすくしながらも、音声情報の記録を禁止状態に設定した場合に不要な情報が表示されない音声メッセージ伝達シートを提供することを目的とする。
【課題を解決するための手段】
【００１４】
上記目的を達成するために本発明は、
音声情報が記録される回路部と、前記回路部に記録される音声情報が入力されるとともに前記回路部に記録された音声情報が出力される音声情報入出力手段と、前記音声情報入出力手段を介して入力された音声情報を前記回路部に記録する際に操作される録音用スイッチと、前記回路部に記録された音声情報を前記音声情報入出力手段を介して出力する際に操作される再生用スイッチとを有する音声情報記録／再生手段が、複数のシートに挟み込まれて構成されてなる音声メッセージ伝達シートにおいて、
前記回路部、前記音声情報入出力手段及び前記再生用スイッチが前記複数のシートに挟み込まれた本体部と、
前記録音用スイッチが前記複数のシートに挟み込まれ、前記本体部から突出した突出部とを有することを特徴とする。
【００１５】
上記のように構成された本発明においては、音声情報記録／再生手段の録音用スイッチが操作されながら音声情報入出力手段を介して音声情報が入力されると、入力された音声情報が音声情報記録／再生手段の回路部に記録される。その後、音声情報記録／再生手段の再生用スイッチが操作されると、回路部に記録された音声情報が音声情報入出力手段を介して出力される。ここで、音声情報が回路部に記録された後、回路部、音声情報入出力手段及び再生用スイッチが複数のシートに挟み込まれた本体部ら突出した突出部が切り離されると、音声情報入出力手段を介して入力された音声情報を回路部に記録する際に操作される録音用スイッチは、突出部にて複数のシートに挟み込まれているために切り離されることになり、突出部が切り離された後では、音声情報入出力手段を介して音声情報が入力された場合でもその音声情報は回路部に記録されない。またこの際、音声情報記録／再生手段を挟み込んだ複数のシートのうち録音用スイッチに対向する領域に、録音用スイッチを示す情報が表示されていた場合であっても、音声情報記録／再生手段を挟み込んだ複数のシートの録音用スイッチに対向する領域は突出部に含まれるため、突出部が切り離された後では、録音用スイッチを示す情報が表示された領域も切り離されることになる。
【発明の効果】
【００１６】
以上説明したように本発明においては、回路部に音声情報を記録する際に操作される録音用スイッチが、音声情報が記録される回路部、回路部に記録される音声情報が入力されるとともに回路部に記録された音声情報が出力される音声情報入出力手段、及び回路部に記録された音声情報を音声情報入出力手段を介して出力する際に操作される再生用スイッチが複数のシートに挟み込まれた本体部から突出した突出部に設けられている構成としたため、これら回路部、音声情報入出力手段、録音用スイッチ及び再生用スイッチを有する音声情報記録／再生手段を挟み込む複数のシートのうち、録音用スイッチに対向する領域に録音用スイッチを示す情報を表示することができながらも、音声情報が回路部に記録された後、突出部が切り離されることにより、音声情報入出力手段を介して入力された音声情報が回路部に記録されなくなるとともに録音用スイッチを示す情報も表示されていない状態とすることができる。
【００１７】
これにより、音声情報を記録する利用者にとって音声情報の記録操作をわかりやすくしながらも、音声情報の記録を禁止状態に設定した場合に不要な情報が表示されていないものとすることができる。また、録音用スイッチが突出部に設けられているため、突出部が切り離された後の音声情報記録／再生手段の面積を小型化することができ、突出部が切り離された形態の音声メッセージ伝達シートとなる本体部の小型化を図ることができるとともに、デザイン性の自由度が向上する。
【発明を実施するための最良の形態】
【００１８】
以下に、本発明の実施の形態について図面を参照して説明する。
【００１９】
図１は、本発明の音声メッセージ伝達シートの実施の一形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００２０】
本形態は図１及び図２に示すように、音声情報の記録や再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０を挟み込んだ支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。また、表面シート１０ａ，１０ｂ、支持シート２０ａ，２０ｂ及び音声情報記録／再生部３０は、円形状の本体部２と、本体部２から突出した突出部３とから構成される。
【００２１】
音声情報記録／再生部３０は、ピエゾ素子４１、振動板４２及びフィルムシート（不図示）からシート状に構成されて音声情報を入出力するための音声情報入出力部４０と、音声情報入出力部４０を介して入力された音声情報が記録されるＩＣチップを具備する回路部であるＩＣ基板３２と、ＩＣ基板３２に記録された音声情報を音声情報入出力部４０を介して出力する際に操作される薄型の再生用スイッチ３３と、音声情報入出力部４０を介して入力された音声情報をＩＣ基板３２に記録する際に操作される薄型の録音用スイッチ３４と、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３，３４は、フィルム基板３５，３６上に搭載され、このフィルム基板３５，３６上に形成された配線パターンとＩＣ基板３２とについても、はんだ溶接されたリード線を介して互いに電気的に接続されている。そして、音声情報記録／再生部３０のうち、ピエゾ素子４１、振動板４２及びフィルムシートからなる音声情報入出力部４０と、ＩＣ基板３２と、フィルム基板３５及びスイッチ３３と、コイン電池３１とは本体部２に配置され、スイッチ３４が突出部３に配置され、フィルム基板３６は、本体部２と突出部３とに跨るように配置されている。ＩＣ基板３２内のＩＣチップは、音声情報入出力部４０を介して入力された音声情報をメモリ領域に記録し、また、メモリ領域に記録された音声情報を音声情報入出力部４０を介して出力する制御を行うものであって、コイン電池３１によって電源が供給されるポート端子や、ＧＮＤ電位に接続されるポート端子や、メモリ領域に記録された音声情報を音声情報入出力部４０に出力するためのポート端子や、メモリ領域に記録された音声情報を音声情報入出力部４０を介して出力するための指示信号が入力されるポート端子や、音声情報入出力部４０を介して入力された音声情報をメモリ領域に記録するためのポート端子や、音声情報入出力部４０を介して入力された音声情報をメモリ領域に記録するための指示信号が入力されるポート端子等を有し、このうち、メモリ領域に記録された音声情報を音声情報入出力部４０を介して出力するための指示信号が入力されるポート端子がグランド電位となった場合、メモリ領域に記録された音声情報を音声情報入出力部４０を介して出力し、また、音声情報入出力部４０を介して入力された音声情報をメモリ領域に記録するための指示信号が入力されるポート端子がグランド電位となった場合、その後に音声情報入出力部４０を介して入力された音声情報をメモリ領域に記録する。
【００２２】
表面シート１０ａには、スイッチ３３と対向する領域に、スイッチ３３を示す再生ボタン１２が印刷され、また、スイッチ３４と対向する領域に、スイッチ３４を示す録音ボタン１３が印刷されている。また、音声情報入出力部４０と対向する領域に、音声情報入出力部４０を介して音声を入力したり、音声情報入出力部４０から出力された音声を外部に出力したりするための微細な穴が羅列されてなる音声入出力領域１４ａが形成されている。このように微細な穴が羅列されてなる音声入出力領域１４ａが形成されているため、音声情報入出力部４０がその表裏を表面シート１０ａ，１０ｂで覆われた状態であっても、音声情報入出力部４０から出力される音量の低下を補うことができる。なお、音声入出力領域１４ａにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、表面シート１０ａには、この音声メッセージ伝達シート１を用いて視覚的に通知すべき情報を印刷あるいは記入するための情報表示領域１１が設けられている。また、再生ボタン１２や録音ボタン１３においては、印刷によって表面シート１０ａ上に設けておかず、情報表示領域１１に情報が印刷された後に、スイッチ３３，３４に対向する領域にシールを貼付することによって設けることも考えられる。このように構成された表面シート１０ａのうち、録音ボタン１３は、音声情報記録／再生部３０のスイッチ３４が突出部３に設けられていることから、表面シート１０ａの突出部３に設けられている。また、本体部２と突出部３との境界部分には、その両端部に切り込み５１が形成されている。
【００２３】
支持シート２０ａにおいては、音声情報記録／再生部３０と積層された場合に、音声情報入出力部４０に対向する領域に穴部２１が形成され、また、コイン電池３１、ＩＣ基板３２、スイッチ３３及びフィルム基板３５に対向する領域に穴部２２が形成され、また、スイッチ３４及びフィルム基板３６に対向する領域に穴部２３が形成されている。また、本体部２と突出部３との境界部分には、表面シート１０ａと同様に、その両端部に切り込み５１が形成されている。
【００２４】
支持シート２０ｂにおいては、音声情報記録／再生部３０と積層された場合に、音声情報入出力部４０に対向する領域に穴部２４が形成され、また、コイン電池３１に対向する領域に穴部２５が形成され、また、ＩＣ基板３２に対向する領域に穴部２６が形成されている。また、本体部２と突出部３との境界部分には、表面シート１０ａ及び支持シート２０ａと同様に、その両端部に切り込み５１が形成されている。
【００２５】
このように、支持シート２０ａの、音声情報入出力部４０、コイン電池３１、ＩＣ基板３２、スイッチ３３及びフィルム基板３５、スイッチ３４及びフィルム基板３６と対向する領域に穴部２１〜２３がそれぞれ形成され、また、支持シート２０ｂの、音声情報入出力部４０、コイン電池３１及びＩＣ基板３２と対向する領域に穴２４〜２６がそれぞれ形成されることにより、コイン電池３１、ＩＣ基板３２、スイッチ３３，３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。
【００２６】
表面シート１０ｂには、音声情報入出力部４０と対向する領域に、音声情報入出力部４０を介して音声を入力したり、音声情報入出力部４０から出力された音声を外部に出力したりするための微細な穴が羅列されてなる音声入出力領域１４ｂが形成されている。この音声入出力領域１４ｂの構成は、表面シート１０ａに形成された音声入出力領域１４ａの構成と同様である。また、本体部２と突出部３との境界部分には、表面シート１０ａ及び支持シート２０ａ，２０ｂと同様に、その両端部に切り込み５１が形成されている。
【００２７】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２８】
図３（ａ）に示すように、支持シート２０ａの音声情報入出力部４０と対向する領域に形成された穴部２１は音声情報入出力部４０の外形とほぼ等しく、また、コイン電池３１、ＩＣ基板３２、スイッチ３３及びフィルム基板３５と対向する領域に形成された穴部２２は、これらコイン電池３１、ＩＣ基板３２、スイッチ３３及びフィルム基板３５を含むように、また、スイッチ３４及びフィルム基板３６と対向する領域に形成された穴部２３がスイッチ３４よりも大きくなっている。そして、フィルム基板３６は、２つの穴部２２，２３を跨ぐように支持シート２０ａ，２０ｂに挟み込まれている。
【００２９】
また、図３（ｂ）に示すように、支持シート２０ｂの音声情報入出力部４０と対向する領域に形成された穴部２４は音声情報入出力部４０よりも小さく、また、コイン電池３１と対向する領域に形成された穴部２５はコイン電池３１よりも大きく、また、ＩＣ基板３２と対向する領域に形成された穴部２６はＩＣ基板３２よりも大きくなっている。
【００３０】
以下に、上記のように構成された音声メッセージ伝達シート１の使用方法について説明する。
【００３１】
上記のように構成された音声メッセージ伝達シート１に対して音声情報を記録する場合は、まず、録音ボタン１３を介してスイッチ３４を押下する。
【００３２】
図４は、図１に示したスイッチ３４の操作による音声メッセージ伝達シート１の動作を説明するための図であり、（ａ）はスイッチ３４近傍の詳細な構成を示す図、（ｂ）はスイッチ３４が押下されていない状態におけるスイッチ３４及びフィルム基板３６の断面図、（ｃ）はスイッチ３４が押下された状態におけるスイッチ３４及びフィルム基板３６の断面図、（ｄ）はスイッチ３４が押下されていない状態における等価回路図、（ｅ）はスイッチ３４が押下された状態における等価回路図である。
【００３３】
図４（ａ）に示すように、フィルム基板３６には、リード線を介してＩＣ基板３２に接続された２つの配線パターン３７ａ，３７ｂが形成されている。この２つの配線パターン３７ａ，３７ｂはそれぞれ櫛状となっており、櫛の歯の部分が互い違いに対向するように形成されている。配線パターン３７ａ，３７ｂのうち一方の配線パターン３７ａは、ＩＣ基板３２を介してコイン電池３１のマイナス端子に接続され、他方の配線パターン３７ｂは、ＩＣ基板３２内のＩＣチップのポート端子のうち、音声情報入出力部４０を介して入力された音声情報をメモリ領域に記録するための指示信号が入力されるポート端子に接続されている。
【００３４】
スイッチ３４が押下されていない状態においては、図４（ｂ）に示すように、スイッチ３４がこの配線パターン３７ａ，３７ｂに接しておらず、それにより、図４（ｄ）に示すように、ＩＣ基板３２内のＩＣチップのポート端子のうち、配線パターン３７ｂに接続され、音声情報入出力部４０を介して入力された音声情報をメモリ領域に記録するための指示信号が入力されるポート端子はオープン状態となっている。そのため、この状態で音声情報入出力部４０を介して音声情報が入力されてもその音声情報はＩＣ基板３２に記録されない。
【００３５】
スイッチ３４が押下されると、図４（ｃ）に示すように、スイッチ３４がフィルム基板３６の表面に沿うように変形し、それにより、スイッチ３４の裏面に塗布された導電剤３４ａを介して２つの配線パターン３７ａ，３７ｂが電気的に接続された状態となる。すると、図４（ｅ）に示すように、配線パターン３７ａがコイン電池３１のマイナス端子に接続されているため、配線パターン３７ｂと接続されたポート端子、すなわち、音声情報入出力部４０を介して入力された音声情報をメモリ領域に記録するための指示信号が入力されるポート端子がコイン電池３１による電源３１ａのグランド電位となり、その状態において、音声情報入出力部４０を介して音声情報を入力すると、入力された音声情報がＩＣ基板３２に記録されることになる。
【００３６】
このようにしてＩＣ基板３２のメモリ領域に音声情報が記録された後、メモリ領域に記録された音声情報を音声情報の再度の記録によって消去されないようにするためには、本体部２と突出部３とを切り離す。この本体部２と突出部３との切り離しは、表面シート１０ａ，１０ｂ及び支持シート２０ａ，２０ｂに形成された切り込み５１をきっかけとして手で引きちぎってもよいし、はさみやカッターナイフ等で切断してもよい。
【００３７】
図５は、図１に示した音声メッセージ伝達シート１から突出部３が切り離された状態を示す図であり、（ａ）はフィルム基板３６の状態を示す図、（ｂ）は本体部２の外観図、（ｃ）はスイッチ３４が接続されていた部分の等価回路図である。
【００３８】
本体部２と突出部３とが切り離されると、図５（ａ）に示すように、フィルム基板３６が本体部２と突出部３との境界に沿って破断し、スイッチ３４が本体部２から切り離されることになる。そのため、図５（ｃ）に示すように、ＩＣ基板３２内のＩＣチップのポート端子のうち、配線パターン３７ｂに接続され、音声情報入出力部４０を介して入力された音声情報をメモリ領域に記録するための指示信号が入力されるポート端子は常にオープン状態となることとなり、この状態で音声情報入出力部４０を介して音声情報が入力されてもその音声情報はＩＣ基板３２に記録されなくなる。これにより、ＩＣ基板３２のメモリ領域への音声情報の記録が禁止状態に設定され、ＩＣ基板３２のメモリ領域に記録された音声情報が、音声情報の再度の記録によって消去されないようになる。
【００３９】
このようにして突出部３が切り離されて本体部２のみとなった音声メッセージ伝達シート１は、その送付先に送付されることになる。
【００４０】
音声メッセージ伝達シート１の送付先においては、ＩＣ基板３２のメモリ領域に記録された音声情報を再生する場合、再生ボタン１２を介してスイッチ３３を押下する。すると、上述した音声情報の記録時と同様に、フィルム基板３５に形成された２つの配線パターンがスイッチ３３の裏面に塗布された導電剤を介して電気的に接続され、それにより、ＩＣ基板３２内のＩＣチップのポート端子のうち、メモリ領域に記録された音声情報を音声情報入出力部４０を介して出力するための指示信号が入力されるポート端子がコイン電池３１による電源によってグランド電位となり、メモリ領域に記録された音声情報がＩＣ基板３２から出力され、音声情報入出力部４０を介して出力されることになる。またこの際、表面シート１０ａにおいては、スイッチ３４と対向する領域に設けられていた録音ボタン１３が突出部３とともに本体部２から切り離されるため、図５（ｂ）に示すように、突出部３が切り離された本体部２には録音ボタン１３が存在せず、この音声メッセージ伝達シート１を受け取った利用者が録音ボタン１３によって困惑してしまうことがなくなる。
【００４１】
また、音声情報を記録するためのスイッチ３４が突出部３に設けられているため、突出部３が切り離された後の音声情報記録／再生部３０の面積を小型化することができ、突出部３が切り離された形態の音声メッセージ伝達シート１となる本体部２の小型化を図ることができるとともに、デザイン性の自由度が向上する。
【００４２】
なお、本形態においては、スイッチ３４が搭載されたフィルム基板３６が本体部２と突出部３とに跨るように設けられ、本体部２と突出部３とが切り離される場合にこのフィルム基板３６が破断されているが、フィルム基板３６を突出部３のみに配置し、本体部２と突出部３とが切り離される場合に、フィルム基板３６とＩＣ基板３２とを接続しているリード線が破断する構成としてもよい。ただし、本形態のように、フィルム基板３６が破断する構成とした方が、破断面にて導通部分、すなわち、配線パターン３７ａ，３７ｂが表出する面積を小さくすることができ、外観が悪くなってしまうことが回避できるとともに、その後、破断面にて表出した導通部分が導通して誤動作が生じてしまう可能性を低減することができる。
【００４３】
以下に、上述したように本体部２と突出部３とを切り離した後に、その切り離し面によって誤動作が生じてしまう可能性を低減する構成について説明する。
【００４４】
図６は、図１に示した音声メッセージ伝達シート１において本体部２と突出部３とを切り離した後にその切り離し面によって誤動作が生じてしまう可能性を低減するための一構成例を示す図であり、（ａ）は本体部２と突出部３とを切り離す前の内部構成を示す図、（ｂ）は本体部２と突出部３とを切り離した後の内部構成を示す図である。
【００４５】
図６（ａ）に示すように、本例においては、本体部２と突出部３との境界部分に、本体部２側に湾曲するようなミシン目５２が形成されている。このミシン目５２は、表面シート１０ａ，１０ｂ及び支持シート２０ａ，２０ｂに形成されている。なお、フィルム基板３６にも形成されていてもよいが、配線パターン３７ａ，３７ｂがミシン目５２のカット部によって断線されないようにする必要がある。
【００４６】
このように構成された音声メッセージ伝達シート１の本体部２と突出部３とを切り離すと、図６（ｂ）に示すように、音声メッセージ伝達シート１がミシン目５２に沿って本体部２と突出部３とに切り離され、本体部２は、突出部３がミシン目５２を介して連接していた領域において内側に湾曲した形状となる。そのため、切り離し面にてフィルム基板３６に形成された配線パターン３７ａ，３７ｂが表出する可能性があるものの、外部に接触する可能性が低減し、配線パターン３７ａ，３７ｂが導通して誤動作が生じてしまう可能性を低減することができる。
【００４７】
図７は、図１に示した音声メッセージ伝達シート１において本体部２と突出部３とを切り離した後にその切り離し面によって誤動作が生じてしまう可能性を低減するための他の構成例を示す図であり、（ａ）は本体部２と突出部３とを切り離す前の内部構成を示す図、（ｂ）は本体部２と突出部３とを切り離した後の内部構成を示す図である。
【００４８】
図７（ａ）に示すように、本例においては、本体部２と突出部３との境界部分に、斜めの方向に切り込まれたスリット５３が形成されている。このスリット５３は、表面シート１０ａ，１０ｂ、支持シート２０ａ，２０ｂ及びフィルム基板３６に形成されている。
【００４９】
このように構成された音声メッセージ伝達シート１の本体部２と突出部３とを切り離すと、図７（ｂ）に示すように、音声メッセージ伝達シート１がスリット５３によって本体部２と突出部３とに切り離され、本体部２は、フィルム基板３６の配線パターン３７ａ，３７ｂが形成された領域が、本体部２と突出部３との境界辺よりも本体部２側に凹んだ形状となる。そのため、切り離し面にてフィルム基板３６に形成された配線パターン３７ａ，３７ｂが表出する可能性があるものの、外部に接触する可能性が低減し、配線パターン３７ａ，３７ｂが導通して誤動作が生じてしまう可能性を低減することができる。
【００５０】
また、上述したような構成を、表面シート１０ａ，１０ｂ及び支持シート２０ａ，２０ｂに設けずにフィルム基板３６のみに設け、表面シート１０ａ，１０ｂ及び支持シート２０ａ，２０ｂは本体部２と突出部３とが分離した構成としてもよい。その場合、本体部２に対して突出部３をねじることにより、フィルム基板３６の本体部２と突出部３との境界部分を破断することになる。
【００５１】
また、本体部２と突出部３との境界部分においてフィルム基板３６あるいはフィルム基板３６と表面シート１０ａとの間に、ゲル状の高抵抗物質を埋め込んでおくことも考えられる。このような構成のものにおいては、本体部２と突出部３とがはさみによって切り離されると、埋め込まれた高抵抗物質が流出し、切り離し面にて表出した配線パターン３７ａ，３７ｂがこの高抵抗物質によって覆われ、この表出した配線パターン３７ａ，３７ｂが外部の導電性物質等に直接接触することがなくなり、配線パターン３７ａ，３７ｂが導通して誤動作が生じてしまう可能性を低減することができる。
【００５２】
なお、上述した実施の形態においては、本体部２が円形状であるものを例に挙げて説明したが、近年においては郵送物の形状も様々であり、はがき形状等、本体部２が幾何学的な形状であって、突出部３がその本体部２から突出した形状のものであれば本発明を適用できる。
【図面の簡単な説明】
【００５３】
【図１】本発明の音声メッセージ伝達シートの実施の一形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示したスイッチの操作による音声メッセージ伝達シートの動作を説明するための図であり、（ａ）はスイッチ近傍の詳細な構成を示す図、（ｂ）はスイッチが押下されていない状態におけるスイッチ及びフィルム基板の断面図、（ｃ）はスイッチが押下された状態におけるはスイッチ及びフィルム基板の断面図、（ｄ）はスイッチが押下されていない状態における等価回路図、（ｅ）はスイッチが押下された状態における等価回路図である。
【図５】図１に示した音声メッセージ伝達シートから突出部が切り離された状態を示す図であり、（ａ）はフィルム基板の状態を示す図、（ｂ）は本体部の外観図、（ｃ）はスイッチが接続されていた部分の等価回路図である。
【図６】図１に示した音声メッセージ伝達シートにおいて本体部と突出部とを切り離した後にその切り離し面によって誤動作が生じてしまう可能性を低減するための一構成例を示す図であり、（ａ）は本体部と突出部とを切り離す前の内部構成を示す図、（ｂ）は本体部と突出部とを切り離した後の内部構成を示す図である。
【図７】図１に示した音声メッセージ伝達シートにおいて本体部と突出部とを切り離した後にその切り離し面によって誤動作が生じてしまう可能性を低減するための他の構成例を示す図であり、（ａ）は本体部と突出部とを切り離す前の内部構成を示す図、（ｂ）は本体部と突出部とを切り離した後の内部構成を示す図である。
【符号の説明】
【００５４】
１    音声メッセージ伝達シート
２    本体部
３    突出部
１０ａ，１０ｂ    表面シート
１１    情報表示領域
１２    再生ボタン
１３    録音ボタン
１４ａ，１４ｂ    音声入出力領域
２０ａ，２０ｂ    支持シート
２１〜２６    穴部
３０    音声情報記録／再生部
３１    コイン電池
３１ａ    電源
３２    ＩＣ基板
３３，３４    スイッチ
３４ａ    導電剤
３５，３６    フィルム基板
３７ａ，３７ｂ    配線パターン
４０    音声情報入出力部
４１    ピエゾ素子
４２    振動板
５１    切り込み
５２    ミシン目
５３    スリット
【図１】
2009006647.tif 000003
【図２】
2009006647.tif 000004
【図３】
2009006647.tif 000005
【図４】
2009006647.tif 000006
【図５】
2009006647.tif 000007
【図６】
2009006647.tif 000008
【図７】
2009006647.tif 000009